(57)【要約】【課題】カメラの接続によりＥＭＩの悪化を防止するテレビジョン装置を提供する。【解決手段】映像信号を送信するカメラ２０を、接続ケーブル１５で接続したテレビジョン装置１０である。データ入出力部１８０は、差動信号を用いてデータを送受信する。カメラ２０の基準信号送信部２７０は、この差動信号を用いた基準信号を送信する。加算器１２０は、基準信号から得られた２つの信号の和からコモンモード電圧を求める。Ａ／Ｄ変換部１３０は、このコモンモード電圧をＡ／Ｄ変換する。制御部１００は、コモンモード電圧が所定の基準電圧Ｖ１〜Ｖ２の間にない場合に、カメラ２０からの映像信号の受信を停止し、ユーザーへ接続ケーブル１５又はカメラ２０の移動を指示する。【選択図】  図１
2013135418.tif 000002
【特許請求の範囲】
【請求項１】
映像信号を送信するカメラに接続ケーブルで接続可能に構成されたテレビジョン装置において、
前記接続ケーブルにより前記カメラから送信される差動信号を用いた基準信号の２つの信号の和からコモンモード電圧を求める加算手段と、
前記コモンモード電圧が所定のノイズレベルにない場合に、前記接続ケーブル又は前記カメラの移動をユーザーに指示する制御手段を備える
ことを特徴とするテレビジョン装置。
【請求項２】
前記カメラに前記基準信号の出力又は停止の制御信号を出力する基準信号出力／停止要求手段と、
前記差動信号を用いてデータを送受信するデータ入出力手段と、
前記データ入出力手段へのデータの入力と、前記加算手段への前記基準信号の入力とを切り換える切り換え手段とを備え、
前記制御手段は、
前記データ入出力手段で前記カメラの接続を検知した場合、前記基準信号出力／停止要求手段から前記基準信号の出力を前記カメラに要求し、前記切り換え手段を前記加算手段への前記基準信号の入力に切り換え、
前記コモンモード電圧が所定の基準電圧Ｖ１〜Ｖ２の間になった場合、前記切り換え手段を前記データ入出力手段へのデータの入力に切り換える
ことを特徴とする請求項１に記載のテレビジョン装置。
【請求項３】
カメラからテレビジョン装置へ接続ケーブルを介して差動信号を用いた基準信号を送信し、該送信された基準信号から得られる２つの信号の和からコモンモード電圧を求め、
前記コモンモード電圧が所定のノイズレベルにない場合に、カメラからの映像信号の受信を停止し、接続ケーブル又はカメラの移動を制御手段によりユーザーに指示する
ことを特徴とするテレビジョン装置の制御方法。
【発明の詳細な説明】
【技術分野】
【０００１】
本発明はテレビジョン装置及びテレビジョン装置の制御方法に係り、特にカメラを接続した際のＥＭＩの悪化を防止するテレビジョン装置及びテレビジョン装置の制御方法に関する。
【背景技術】
【０００２】
近年、インターネット接続等を用いて遠隔地のユーザと映像／音声通話を行うことが可能となっている。この映像／音声通話は、従来は、ＰＣ（Ｐｅｒｓｏｎａｌ  Ｃｏｍｐｕｔｅｒ）や携帯電話等を用いて行われていた。しかしながら、近年、家庭用テレビジョン装置でも、映像／音声通話ができるようになってきた。
【０００３】
ここで図６と図７とを参照して、従来のテレビジョン装置１１による映像／音声通話の例について説明する。
図６によると、従来のテレビジョン装置１１は、大画面の液晶、プラズマ、有機ＥＬ等のディスプレイパネルによる表示部１１０を備えたテレビジョン受信装置であり、例えばＳｋｙｐｅ（登録商標）や各種メッセンジャー等による映像／音声通話に対応している。テレビジョン装置１１は、例えば上部に、ＵＳＢカメラ等であるカメラ２１を設置することができる。
【０００４】
図７によると、通常、カメラ２１は、テレビジョン装置１１の背面や側面に備えられたＵＳＢコネクタ１５０に、ＵＳＢ（Ｕｎｉｖｅｒｓａｌ  Ｓｅｒｉａｌ  Ｂｕｓ）２．０等の規格の接続ケーブル１５で接続される。
ここで、カメラ２１の設置状態によっては、接続ケーブル１５がテレビジョン装置１１の電源基板１９０のトランス等の特定位置１９５を通過する。これにより、接続ケーブル１５に電磁誘導が起きることがある。
つまり、ＥＭＩ（Ｅｌｅｃｔｒｏ  Ｍａｇｎｅｔｉｃ  Ｉｎｔｅｒｆｅｒｅｎｃｅ、電磁妨害）の悪化が起こり、カメラ２１及びテレビジョン装置１１の誤動作を引き起すという課題があった。
【０００５】
ここで、特許文献１を参照すると、伝送線路から発生する不要電磁波輻射の原因となる、伝送線路接続点におけるコモンモード電圧発生を低減させるコモンモード電位調整回路が記載されている。
【先行技術文献】
【特許文献】
【０００６】
【特許文献１】特開２００８−３１１９６４号公報
【発明の概要】
【発明が解決しようとする課題】
【０００７】
しかしながら、特許文献１に開示された技術はコモンモード電圧を低減させる回路技術であり、カメラのケーブルの電磁誘導によるＥＭＩの悪化には対応できないという課題があった。
【０００８】
本発明は、このような状況に鑑みてなされたものであり、上述の課題を解消することを課題とする。
【課題を解決するための手段】
【０００９】
本発明のテレビジョン装置は、映像信号を送信するカメラに接続ケーブルで接続可能に構成されたテレビジョン装置において、前記接続ケーブルにより前記カメラから送信される差動信号を用いた基準信号の２つの信号の和からコモンモード電圧を求める加算手段と、前記コモンモード電圧が所定のノイズレベルにない場合に、前記接続ケーブル又は前記カメラの移動をユーザーに指示する制御手段を備えることを特徴とする。
本発明のテレビジョン装置は、前記カメラに前記基準信号の出力又は停止の制御信号を出力する基準信号出力／停止要求手段と、前記差動信号を用いてデータを送受信するデータ入出力手段と、前記データ入出力手段へのデータの入力と、前記加算手段への前記基準信号の入力とを切り換える切り換え手段とを備え、前記制御手段は、前記データ入出力手段で前記カメラの接続を検知した場合、前記基準信号出力／停止要求手段から前記基準信号の出力を前記カメラに要求し、前記切り換え手段を前記加算手段への前記基準信号の入力に切り換え、前記コモンモード電圧が所定の基準電圧Ｖ１〜Ｖ２の間になった場合、前記切り換え手段を前記データ入出力手段へのデータの入力に切り換えることを特徴とする。
本発明のテレビジョン装置の制御方法は、カメラからテレビジョン装置へ接続ケーブルを介して差動信号を用いた基準信号を送信し、該送信された基準信号から得られる２つの信号の和からコモンモード電圧を求め、前記コモンモード電圧が所定のノイズレベルにない場合に、カメラからの映像信号の受信を停止し、接続ケーブル又はカメラの移動を制御手段によりユーザーに指示することを特徴とする。
【発明の効果】
【００１０】
本発明によれば、差動信号の基準信号から得られたコモンモード電圧によりユーザにカメラ又を用いることで、電磁誘導によるＥＭＩの悪化を確実に防止できるテレビジョン装置及びテレビジョン装置の制御方法を提供できる。
【図面の簡単な説明】
【００１１】
【図１】本発明の実施の形態に係るテレビジョン装置とカメラの制御構成を示すブロック図である。
【図２】本発明の実施の形態に係る電波受信処理のテレビジョン装置におけるＥＭＩ悪化回避処理を示すフローチャートである。
【図３】本発明の実施の形態に係る基準信号の例を示す概念図である。
【図４】本発明の実施の形態に係るコモンモード電圧と基準電圧との関係を示す概念図である。
【図５】本発明の実施の形態に係るカメラモード移行不可／可能の際の画面例である。
【図６】従来のテレビジョン装置とカメラの外観の正面図である。
【図７】従来のテレビジョン装置とカメラの外観の背面図である。
【発明を実施するための形態】
【００１２】
＜第１の実施の形態＞
〔テレビジョン装置１０及びカメラ２０の構成〕
図１を参照して説明すると、本発明の実施の形態に係るテレビジョン装置１０は、コネクタ１５０を介して、接続ケーブル１５でカメラ２０に接続されている。
なお、図１において、図６、図７と同じ構成部位である接続ケーブル１５は、図６及び図７に係る接続ケーブル１５と同様のＵＳＢ２．０／３．０の電線を含む接続ケーブル等である。また、コネクタ１５０も、従来のテレビジョン装置１１と同様のＵＳＢ２．０／３．０等に対応したＡ／Ｂタイプの雌形コネクタ等である。
【００１３】
ここで、テレビジョン装置１０は、カメラ２０の接続時にＥＭＩの悪化を防ぐ部位として、制御部１００（制御手段）、加算器１２０（加算手段）、Ａ／Ｄ変換部１３０（Ａ／Ｄ変換手段）、記憶部１４０（記憶手段）、スイッチ１５１、１５２（切り換え手段）、タイマ部１６０（タイマ手段）、基準信号出力／停止要求部１７０（基準信号出力／停止要求手段）、ＵＳＢ入出力部１８０（データ入出力手段）を備えている。
これに加えて、テレビジョン装置１０は、従来のテレビジョン装置１１と同様の表示部１１０、電源基板１９０、ＲＦ（Ｒａｄｉｏ  Ｆｒｅｑｕｅｎｃｙ）部、音声出力用のスピーカ等も備えている。つまり、テレビジョン装置１０は、地上／衛星テレビジョン放送やカメラ２０以外からの画像信号も受信して表示部１１０に表示し、音声信号をスピーカ等から出力できる。
【００１４】
制御部１００は、一般的なＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等の回路である。制御部１００は、記憶部１４０に記憶されたプログラムに従って、後述するＥＭＩ悪化回避処理をハードウェア資源を用いて実行する。制御部１００は、後述するコモンモード電圧を判定し、映像／音声通話を行う「カメラモード」への移行を制御する。
加算器１２０は、後述する差動信号を用いた基準信号から得られた２つの信号（ＶＤ＋とＶＤ−）の和をコモンモード電圧として出力する比較（加算）回路である。
Ａ／Ｄ変換部１３０は、加算器１２０から出力されたコモンモード電圧を量子化して、例えば８ｂｉｔ〜１６ｂｉｔ等の数値に変換し、制御部１００に出力する。
記憶部１４０は、ＲＡＭ、ＲＯＭ、フラッシュメモリ等を含む記憶部位であり、制御部１００がＥＭＩ悪化回避処理を実行するためのプログラムやデータ等を記憶している。このデータとしては、後述するカメラモードの移行に係る閾値となる基準電圧Ｖ１、Ｖ２や、コモンモード電圧を測定する時間の所定値等も記憶している。
スイッチ１５１は、上記基準信号から得られた２つの信号（ＶＤ＋とＶＤ−）を加算器１２０に入力する際に切り換えるための電子スイッチやリレー等である。
スイッチ１５２は、カメラ２０からＵＳＢ規格等の映像信号や音声信号を受信するように切り換えるための電子スイッチやリレー等である。
タイマ部１６０は、上記基準信号を所定時間送信させる際の時間を計測するためのリアルタイム・クロック等のタイマ回路である。
基準信号出力／停止要求部１７０は、上記基準信号を出力するように、カメラ２０へ基準信号出力要求コマンドを送信する回路である。また、基準信号出力／停止要求部１７０は、カメラ２０へ上記基準信号の出力を停止するように、基準信号出力停止コマンドを送信する。
ＵＳＢ入出力部１８０は、ＵＳＢ等の規格により、コネクタ部１５０に接続されたカメラ２０からの映像信号や音声信号を受信し、カメラ２０へ制御信号を送信する送受信部位である。後述するカメラモードに移行後、このＵＳＢ入出力部１８０で入力した映像信号や音声信号は、更に別の制御部やＬＡＮ回線接続部等（図示せず）に送信される。これにより、インターネット等を介した映像／音声通話が可能となる。
【００１５】
カメラ２０は、映像／音声通話のためのＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサによる電子撮像機能を備えたＵＳＢカメラ等である。カメラ２０は、ＣＣＤやＣＭＯＳイメージセンサで入力した動画像や静止画像を、通常、所定のフォーマットでデジタル化して、ＵＳＢ２．０／３．０規格等を用いて映像信号として出力する。
これに加えて、カメラ２０は、ＵＳＢ規格等のデータ送受信のための差動信号を用いた基準信号を出力するための回路である基準信号送信部２７０を備えている。
基準信号送信部２７０は、基準信号出力／停止要求部１７０から基準信号出力要求コマンドを受信する。すると、基準信号送信部２７０は、所定の周波数の差動信号である基準信号を例えばＵＳＢのデータ線から出力する。また、基準信号送信部２７０は、基準信号出力停止コマンドを受信すると、基準信号の送信を停止する。なお、基準信号の詳細については後述する。
なお、カメラ２０は、音声入力手段であるマイクロフォン等の音声入力部を備えていてもよい。カメラ２０は、音声入力部から入力した音声信号を、音声信号として出力する。さらに、カメラ２０は、接続状態等を報知するＬＥＤ等の報知部も備えていてもよい。
また、基準信号送信部２７０は、一般的なＵＳＢインターフェイスにおいて、所定の差動信号を出力するコマンドを用いることで、同様の機能を実現することもできる。このような構成では、カメラ２０として、従来のカメラ２１を用いることもできる。
【００１６】
〔ＥＭＩ悪化回避処理〕
次に、図２〜図５を参照して、本発明の実施の形態に係るＥＭＩ悪化回避処理について説明する。
本発明の実施の形態に係るＥＭＩ悪化回避処理は、カメラ２０と接続ケーブル１５の固定位置誘導に係る処理である。
具体的に、ＥＭＩ悪化回避処理では、制御部１００が、例えば、初期接続時にカメラ２０との通信に使用するＵＳＢ差動信号ラインを使用して、カメラ２０から所定の周波数の差動信号である基準信号を出力させる。
その後、制御部１００は、コモンモード電圧の検出結果と、予め定めたノイズレベルの閾値である基準電圧Ｖ１、Ｖ２との比較結果により、ＯＳＤ（Ｏｎ  Ｓｃｒｅｅｎ  Ｄｉｓｐｌａｙ）表示を行う。これにより、制御部１００は、ユーザーへカメラ２０の固定位置又は接続ケーブル１５の移動を誘導する。
制御部１００は、カメラ２０の固定位置又は接続ケーブル１５を電源基板１９０からのノイズの影響を受けない状態になったことを確認し、インターネット等を介した映像／音声通話である「カメラモード」へ移行する。
このように構成することで、ＥＭＩの悪化を防ぐことができる。
以下で、図２のフローチャートを参照して、ステップ毎に本実施形態のＥＭＩ悪化回避処理の詳細について説明する。
【００１７】
（ステップＳ１０１）
まず、制御部１００は、カメラモードへの移行のため、カメラ２０が接続されているか否か判定する。
具体的に、制御部１００は、コネクタ１５０からの信号をＵＳＢ入出力部１８０に接続するようにスイッチ１５２を切り換える。この上で、カメラ２０がコネクタ１５０に接続されているか否かについて、ＵＳＢ入出力部１８０によりカメラ２０が認識できる場合、接続されている、すなわちＹｅｓと判定する。それ以外の場合、Ｎｏと判定する。
Ｙｅｓの場合、制御部１００は処理をステップＳ１０２に進める。
Ｎｏの場合、制御部１００は処理をステップＳ１０７に進める。
【００１８】
（ステップＳ１０２）
カメラ２０が接続されている場合、制御部１００は、基準信号出力／停止要求部１７０を用いて、基準信号出力開始処理を行う。
具体的には、制御部１００は、基準信号出力／停止要求部１７０へ、基準信号を出力するように制御信号を送信する。
すると、基準信号出力／停止要求部１７０は、コネクタ１５０から、カメラ２０の基準信号送信部２７０へ、基準信号を送信するよう要求する基準信号出力要求コマンド（制御信号）を送信する。
【００１９】
ここで、図３を参照して説明すると、基準信号は、カメラ２０とテレビジョン装置１０との通信に使用する差動信号を用いる。
たとえばＵＳＢ規格でカメラ２０とテレビジョン装置１０とを接続する場合、接続ケーブル１５のデータ線である「Ｄ＋」と「Ｄ−」は、対をなす２本の信号線となる。通常、「Ｄ＋」と「Ｄ−」には、それぞれ逆位相の信号である差動信号（ＶＤ＋とＶＤ−）で、映像信号や音声信号や制御信号が伝送される。この基準信号に用いるための差動信号の所定周波数としては、通常のＵＳＢ２．０／３．０等でデータを転送する際に用いる周波数を用いることが好適である。なお、所定周波数として、テレビジョン装置１０の電源基板１９０によるＥＭＩを検出しやすい周波数を用いることもできる。
本発明の実施の形態に係るカメラ２０の基準信号送信部２７０は、これと同様の所定周波数の差動信号そのものを基準信号として出力する。これにより、コモンモード電圧の判定が容易となる。
なお、接続ケーブル１５のコモンモード電圧の検出に用いられる信号線は、ＵＳＢ等の「Ｄ＋」と「Ｄ−」に限られず、オーディオラインや映像信号等の他の信号線を用いてもよい。
【００２０】
（ステップＳ１０３）
次に、制御部１００は、コモンモード電圧検出処理を行う。
具体的には、制御部１００は、コネクタ１５０からの信号（ＶＤ＋とＶＤ−）が加算器１２０に入力されるよう、スイッチ１５１、１５２を切り換える。つまり、制御部１００は、スイッチ１５１を導通し、スイッチ１５２を切断する。
その後、加算器１２０は、基準信号から得られた２つの信号「ＶＤ＋」と「ＶＤ−」を取得し、加算する。すなわち、２つの信号の和で表されるコモンモード電圧（「ＶＤ＋」＋「ＶＤ−」）が得られる。この上で、Ａ／Ｄ変換部１３０は、加算器１２０で得られたコモンモード電圧をＡ／Ｄ変換して出力する。
これにより、コモンモード電圧の監視及びノイズの大きさ（レベル）の判定が可能となる。
【００２１】
（ステップＳ１０４）
次に、制御部１００は、コモンモード電圧の値が基準電圧Ｖ１より小さいか否かについて判定する。
この処理では、制御部１００は、まず、Ａ／Ｄ変換されたコモンモード電圧の値（「ＶＤ＋」＋「ＶＤ−」）を入力する。
この上で、制御部１００は、記憶部１４０からノイズの上限の閾値となる基準電圧Ｖ１の値を読み出し、コモンモード電圧の値と比較する。つまり、あらかじめ設定されている基準電圧Ｖ１との比較によって基準電圧より大きな電圧が所定量以上検出された場合は電磁誘導を受けて、誘導ノイズが発生していると判定する。
図４（ａ）の例を参照すると、通常、差動信号の和を求めると、同じ信号線上に加えられたノイズは減少する。これに対して、基準電圧Ｖ１は、この和を取った後のノイズ成分が、ＵＳＢ等のデータ伝送におけるデータ化け等の誤動作を引き起こす可能性があるレベルである値を求めて設定する。
制御部１００は、タイマ部１６０で設定した所定時間、例えば２０ｍｓ程度の時間において、コモンモード電圧の値（「ＶＤ＋」＋「ＶＤ−」）＜基準電圧Ｖ１であった場合、Ｙｅｓと判定する。逆に、制御部１００は、所定時間以内に、所定回、例えば１回以上コモンモード電圧の値（「ＶＤ＋」＋「ＶＤ−」）≧基準電圧Ｖ１の値となった場合、Ｎｏと判定する。
Ｙｅｓの場合、制御部１００は、処理をステップＳ１０５に進める。
Ｎｏの場合、制御部１００は、処理をステップＳ１０６に進める。
【００２２】
（ステップＳ１０５）
コモンモード電圧の値（「ＶＤ＋」＋「ＶＤ−」）が基準電圧Ｖ１より小さかった場合には、制御部１００はコモンモード電圧が基準電圧Ｖ２より大きいか否かについて判定する。
この処理でも、制御部１００は、記憶部１４０からノイズの下限の閾値となる基準電圧Ｖ２の値を読み出して、コモンモード電圧の値と比較する。基準電圧Ｖ２も、基準電圧Ｖ１と同様に設定することができる。
ここでは、基準電圧Ｖ２より小さな電圧が所定量以上検出された場合、電磁誘導を受けて、誘導ノイズが発生していると判定する。
図４（ｂ）の例を参照すると、制御部１００は所定時間において、コモンモード電圧の値（「ＶＤ＋」＋「ＶＤ−」）＞基準電圧Ｖ２であった場合Ｙｅｓと判定する。それ以外の場合はＮｏと判定する。
Ｙｅｓの場合、制御部１００は、処理をステップＳ１０８に進める。
Ｎｏの場合、制御部１００は、処理をステップＳ１０６に進める。
【００２３】
（ステップＳ１０６）
コモンモード電圧が基準電圧Ｖ１より大きい又は基準電圧Ｖ２より小さいため、電磁誘導を受けて、誘導ノイズが発生していると判定された場合、制御部１００は、エラーＯＳＤ表示処理を行う。
図５（ａ）を参照すると、制御部１００は、表示部１１０にＯＳＤ表示を行い、ユーザーに対して、接続ケーブル１５の位置の移動、又はカメラ２０の固定位置の移動を促す。この際、制御部１００は図示しない音声出力部から、警告音やブザー音等を出力してもよい。
なお、制御部１００は、カメラ２０のＬＥＤ等を制御し、ＥＭＩによる「接続不良」を報知してもよい。
【００２４】
（ステップＳ１０７）
ここで、カメラ２０が接続されていないか、電磁誘導を受けて、誘導ノイズが発生している場合、制御部１００は、カメラモード移行禁止処理を行う。
具体的には、制御部１００は、カメラ２０がカメラとしての動作を行うカメラモードへの移行を禁止する。この上で、制御部１００は、処理をステップＳ１０１に戻す。
そして、制御部１００は、コモンモード電圧の監視を継続し、コモンモード電圧と基準電圧Ｖ１、Ｖ２との比較判定を続ける。
制御部１００は、ユーザが接続ケーブル１５又はカメラ２０を移動する等により、基準電圧Ｖ１〜基準電圧Ｖ２内にならない限り、カメラモードへの移行の禁止を継続する。
これにより、ＥＭＩ悪化を回避することができる。
【００２５】
（ステップＳ１０８）
コモンモード電圧が基準電圧Ｖ１以下で且つ基準電圧Ｖ２以内、すなわち所定のノイズレベル以下になった場合、制御部１００は成功ＯＳＤ表示処理を行う。
図５（ｂ）を参照して説明すると、ユーザーが接続ケーブル１５又はカメラ２０設置状態を変更した場合、コモンモード電圧が基準電圧Ｖ１〜Ｖ２以内になる。つまり、テレビジョン装置１０は、誘導ノイズを受けていない状態になる。
この場合、制御部１００は、カメラ機能を実行するカメラモードへ移行すると、表示部１１０にＯＳＤ表示する。この際も、音楽やブザー音等を出力して報知してもよい。
【００２６】
（ステップＳ１０９）
次に、制御部１００は、基準信号出力停止処理を行う。
具体的には、制御部１００は、基準信号出力／停止要求部１７０から、カメラ２０の基準信号送信部２７０へ、基準信号を停止する基準信号出力停止コマンドを送信する。これを受信したカメラ２０の基準信号送信部２７０は、基準信号の送信を停止する。
この上で、制御部１００は、コネクタ１５０からの信号がＵＳＢ入出力部１８０に入力されるよう切り換える。つまり、制御部１００は、スイッチ１５１を切断し、スイッチ１５２を導通状態とする。
【００２７】
（ステップＳ１１０）
次に、制御部１００は、カメラモード移行許可処理を行う。
具体的に、制御部１００は、カメラモードの移行（動作）を可能にするように、ＵＳＢ入出力部１８０からカメラ２０へ映像音声を入力するよう、コマンドを送信する。このコマンドを受信したカメラ２０は、映像信号や音声信号を出力開始する。これにより、制御部１００は、カメラモードへの移行を行うことができる。
以上により、本発明の実施の形態に係るＥＭＩ悪化回避処理を終了する。
【００２８】
以上のように構成することで、以下のような効果を得ることができる。
まず、本発明の実施の形態に係るテレビジョン装置１０は、差動信号を用いた基準信号から得られた２つの信号の和であるコモンモード電圧（「ＶＤ＋」＋「ＶＤ−」）が、所定の基準電圧Ｖ１〜Ｖ２の間にない場合に、カメラモードへの移行の禁止とＯＳＤによるユーザーへの移動を促す。
これにより、カメラ２０の設置位置によって接続ケーブル１５が電磁誘導を受ける特定の位置を通過し、ＥＭＩが悪化するのを確実に回避することができる。すなわち、テレビジョン装置１０は、外的要因により受ける電磁誘導により、誘導ノイズが発生することを回避するため、接続ケーブル１５又はカメラ２０の固定位置を誘導し、ＥＭＩを悪化させる接続状態になることを確実に防止することができる。
このため、カメラ２０及びテレビジョン装置１０の誤動作を防ぎ、映像／音声の品質を良くすることができる。また、カメラ２０を接続することで、テレビジョン装置１０のグランドライン等にノイズが混入し、表示部１１０へ表示される映像の画質やスピーカから出力される音声の音質が劣化するのを防ぐことができる。また、ＥＭＩによるラジオ等への電波障害を抑えることができる。
【００２９】
なお、上述の実施の形態においては、ＵＳＢ規格の場合の基準信号の伝達について説明したがこれに限られない。たとえば、ＵＳＢの「Ｄ＋」「Ｄ−」端子だけではなく、ＵＳＢケーブルと一体となって／別途接続される、マイクの音声端子等に差動信号を基準信号として出力してもよい。
また、上述の実施の形態では、テレビジョン装置１０によりコモンモード電圧の監視とレベル判定を行う例について説明したが、カメラ２０にて行うこともできる。つまり、カメラ２０に、制御部１００、加算器１２０、Ａ／Ｄ変換部１３０、記憶部１４０、タイマ部１６０、基準信号出力／停止要求部１７０等を備えた上で、テレビジョン装置１０に基準信号送信部２７０を備えるような構成でもよい。
また、基準信号送信部２７０と、基準信号出力／停止要求部１７０とを兼用する構成も可能である。この場合、カメラ２０とテレビジョン装置１０とにＵＳＢのＡコネクタとＢコネクタを両方接続し、ループバック等によりテレビジョン装置１０から送信されたＵＳＢ接続をするように構成することもできる。
【００３０】
なお、上記実施の形態の構成及び動作は例であって、本発明の趣旨を逸脱しない範囲で適宜変更して実行することができることは言うまでもない。
【符号の説明】
【００３１】
１０、１１  テレビジョン装置
１５  接続ケーブル
２０、２１  カメラ
１００  制御部
１１０  表示部
１２０  加算器
１３０  Ａ／Ｄ変換部
１４０  記憶部
１５０  コネクタ
１６０  タイマ部
１７０  基準信号出力／停止要求部
１８０  ＵＳＢ入出力部
１９０  電源基板
１９５  特定位置
２７０  基準信号送信部
Ｖ１、Ｖ２  基準電圧
【図１】
2013135418.tif 000003
【図２】
2013135418.tif 000004
【図３】
2013135418.tif 000005
【図４】
2013135418.tif 000006
【図５】
2013135418.tif 000007
【図６】
2013135418.tif 000008
【図７】
2013135418.tif 000009